(57)【要約】指紋のスキャン及びユーザ特有のコードのエントリのために同一のセンサの表面が用いられるユーザ認証方法及びシステムが開示される。ユーザ特有のコードは、フレームによってガイドされるジェスチャを含む。【選択図】図１４
2016530602.tif 000002
【特許請求の範囲】
【請求項１】
ユーザを認証する方法であって、
前記ユーザの指をセンサの表面で受け付けるステップと、
前記センサで指紋をスキャンするステップと、
同一の前記センサの表面でユーザ特有のコードを受け付けるステップと、を備え、
前記ユーザ特有のコードの入力は、フレームによってガイドされる１以上のジェスチャを含むユーザ特有のパターンの描画を含む、方法。
【請求項２】
前記ジェスチャは、ラインジェスチャを含む請求項１に記載の方法。
【請求項３】
前記ラインジェスチャは、前記フレームのエッジに隣接する前記センサの表面の一部に沿って指をスワイプすることによって入力される請求項２に記載の方法。
【請求項４】
前記ラインジェスチャは、前記フレームの一つのコーナーから別のコーナーへのスワイプモーションを含む請求項２又は３に記載の方法。
【請求項５】
前記ジェスチャは、ドットジェスチャを含む請求項１から４のいずれか一項に記載の方法。
【請求項６】
前記ドットジェスチャは、前記フレームのコーナーにおける終端を有する前後モーションを含む請求項５に記載の方法。
【請求項７】
前記ユーザ特有のコードは、前記フレームのコーナーで開始及び／又は終了する請求項１から６のいずれか一項に記載の方法。
【請求項８】
前記ジェスチャは、ユーザ特有のコードの入力の開始及び／又は終了を示すスワイプジェスチャを含む請求項１から７のいずれか一項に記載の方法。
【請求項９】
指先の一部のみが前記ユーザ特有のパターンの描画時に前記センサの表面と接触する請求項１から８のいずれか一項に記載の方法。
【請求項１０】
ユーザ認証システムであって、
指紋スキャンのために指を受け付けること、及びユーザ特有のパターンを含むユーザ特有のコードを受け付けることに適した表面を有するセンサと、
前記センサの表面での前記ユーザ特有のパターンの描画時にユーザの指のユーザの指配置をガイドするフレームと、
を備えるユーザ認証システム。
【請求項１１】
前記フレームは、前記センサの表面又はその一部の外周の周りに提供される請求項１０に記載のシステム。
【請求項１２】
前記フレームは、タッチで知覚可能である請求項１０又は１１に記載のシステム。
【請求項１３】
前記フレームは、１以上のコーナーを含む請求項１０から１２のいずれか一項に記載のシステム。
【請求項１４】
前記フレームは、前記センサの表面及び／又はホストデバイスの表面から突出するエッジを含む請求項１０から１３のいずれか一項に記載のシステム。
【請求項１５】
前記フレームは、前記センサの表面及び／又はホストデバイスの表面に対して凹んだエッジを含む請求項１０から１３のいずれか一項に記載のシステム。
【請求項１６】
前記フレーム又はその一部は、触覚フィードバックを提供するために粗面化されている請求項１０から１５のいずれか一項に記載のシステム。
【請求項１７】
前記フレームは、ホストデバイスの周囲表面及び前記センサの表面から視覚的に区切られた外周又は前記センサの表面の境界を示す又は少なくとも部分的に境界を示す縁を含む請求項１０から１６のいずれか一項に記載のシステム。
【請求項１８】
前記フレームは、１以上の発光部を含む請求項１０から１７のいずれか一項に記載のシステム。
【請求項１９】
前記フレームは、接触したときに音響信号を発する１以上の部分を含む請求項１０から１８のいずれか一項に記載のシステム。
【請求項２０】
前記フレーム又はその一部は、導電素子を含む請求項１０から１９のいずれか一項に記載のシステム。
【請求項２１】
前記センサは、ホストデバイスで保有され、前記フレームは、使用する際に、前記ホストデバイスを受け入れるセパレートボディで保有される請求項１０から２０のいずれか一項に記載のシステム。
【請求項２２】
前記ホストデバイスは、ポータブルコンピューティングデバイス又はスマートフォンを含み、前記セパレートボディは、使用する際に、前記ポータブルコンピューティングデバイス又は前記スマートフォンを受け入れるホルスターを含む請求項２１に記載のシステム。
【請求項２３】
前記ホストデバイスは、決済カードを含み、前記セパレートボディは、使用する際に、前記決済カードを受け入れるためのスロットを含む請求項２１に記載のシステム。
【請求項２４】
少なくとも１つのユーザと関連付けられた指紋パターンデータ及びユーザ特有のコードデータを記憶するメモリ手段と、
指紋パターンデータ及びユーザ特有のコードデータを受け付けるための前記センサと結合され、かつ受け付けたデータを記憶されたデータと比較するために前記メモリ手段と結合され、かつ前記比較に基づく認証結果を戻すプロセッサと、
を備える請求項１０から２３のいずれか一項に記載のシステム。
【請求項２５】
ユーザ認証システムを備えるホストデバイスであって、
指紋スキャンのために指を受け付けること、及びユーザ特有のパターンを含むユーザ特有のコードを受け付けることに適した表面を有するセンサと、
前記センサの表面上での前記ユーザ特有のパターンの描画時にユーザの指のユーザの指配置をガイドするためのフレームと、
を備えるホストデバイス。
【請求項２６】
モバイルコンピューティングデバイス、携帯電話機、金融決済カード又は身分証明書である請求項２５に記載のホストデバイス。
【請求項２７】
コンピューティングデバイスで実行されたときに、
ユーザ特有のパターンに関するジェスチャを含む指紋データ及びユーザ特有のコードデータを受け付け、
受け付けたデータを記憶されたデータと比較し、前記比較に基づく認証結果を戻すこと
が可能な命令で符号化されたコンピュータプログラム製品。
【発明の詳細な説明】
【技術分野】
【０００１】
本開示は、ユーザ認証の改良又はユーザ認証に関する改良に関し、特に、指紋及びユーザ特有のコードがユーザを認証するために用いられる２要素認証のための新たな方法及び装置に関する。
【背景技術】
【０００２】
例えば、アクセスコントロール及びユーザ認証の一部として、個々のセキュアな識別のための需要が増大している。金融決済及び“電子ウォレット”としてのスマートフォンの予期された成長により、ユーザの認証のための信頼性の高い方法の需要が必須である。この環境において、異なる生体原理が識別又は認証用に試用又は採用されており、例えば、指紋、手形、耳形状、顔形状、声のプロファイル、虹彩特性等である。指紋の識別は、飛び抜けて最もポピュラーな識別方法であり、様々な電子スキャン原理（光電子、容量性及び熱）は、今や生体指紋情報を取得及び記憶するために広く用いられている。
【０００３】
指紋のみの使用は、例えば、偽装に関して、偽装する個人が属する指紋又は指のレプリカを準備することが可能であるという固有の弱点を有する。このような偽装は、本物の指紋又は指と同一又は類似の特性を提供し、よって、センサシステムによってアクセスされるであろう指紋パターンを提供するために用いられてしまう。
【０００４】
最近のスマートフォン及びタブレットコンピュータにより、タッチスクリーンは、情報の入力及びプログラム及びアプリケーションの動作のために用いられている。ユーザ／プログラムインターフェースとしてタッチスクリーンを使用することの重要性は、スクリーンが、多数の正当なユーザからの指紋の残りを取り去ることを含み、“読み取り可能な”指紋が、例えば、装置が盗難された又は紛失した後に、スクリーンを容易に“拾い上げる（ｌｉｆｔｅｄ  ｏｆｆ）”ことにある。得られた指紋は、単純な画像を印刷することによって、又は指先に取り付けられる“肌状”構造を用意するためにレーザ動作３Ｄプリンタを用いることのようなより洗練された技術によってシステムになりすましのために用いられる場合がある。
【０００５】
この理由のため、指紋登録のみでは不十分な場合が多く、ユーザ特有のコードの入力で補われる必要があり、このコードは、秘密かつ認証されるユーザのみが知っていると仮定する。
【０００６】
一部の現在用いられるシステムは、指紋と個人アクセスコードを組み合わせ、数字又はアルファベットキーパッドにより入力される。一部の例では、ユーザ特有のコードの入力のための別のキーパッドを使用するために不便である。なぜなら、これは、更なる装備を必要とし、更に、これは、２つの異なる入力エンティティでの識別及び認証のためのルーチンに含まれる別途のステップを意味するためである。別途の、入力時にコードの不当な“読み取り”を認める恒久的に搭載されることが多いキーパッドは、キーストローク・ロガーのようなユーティリティのアプリケーションを可能にする。多くの人々は、また、特に、ユーザがこのようなコード全体を記憶する必要がある数字又は英数字コードを記憶することが困難であることがわかる。
【０００７】
指紋センサ、ユーザ特有のコードパターン及び特定の種類のセンサと関連付けられた特有の要件を扱う幾つかの開示は、特許文献に開示される。
【０００８】
ＥＰ２５８４４８５Ａ１は、センサの表面の少なくとも１つの数字を含むデータを入力するためのタッチベースのシステムを開示する。
【０００９】
ＥＰ２５７５０８４Ａ１は、埋め込み触覚検知ユーザインターフェースを用いて同じ機密の記憶された表現に対して機密を照合する目的で機密をセキュリティトークンに入力する技術を開示している。セキュリティトークンは、オンカードマッチング機能を提供する。
【００１０】
ＥＰ２５０９０１９Ａ１は、デバイスへのアクセスを提供するための方法及び構成を開示し、当該方法は、グラフィカルコードをタッチ表面を介して受信するステップであって、前記コードは、第１の部分がタッチ表面の第１の物理値に関し、第２の部分がタッチ表面の第２の物理値に関する少なくとも２つの部分を含む、ステップと、第１及び第２の物理値に基づいてグラフィカルコードを共に生成するステップであって、グラフィカルコードがタッチ表面の平面拡張部から逸れる少なくとも１つの部分を有する、ステップと、を備える。
【００１１】
ＵＳ２０１２００４２３７８Ａ１は、ユーザがデザインを設定し、リソースへのアクセスを得るためにそれを使用するグラフィカルユーザインターフェースのためのログインシステムを開示する。当該デザインは、ライン、ラインの距離、方向及び位置を含みうる。当該デザインは、ユーザが色を選択することを要求し、重複するために必要な異なる入力されたパーツによる色及び量を含む。
【００１２】
ＷＯ２００９／００８６８６は、データ入力デバイス及びデータ入力デバイスを用いた入力変換方法を開示している。当該データ入力デバイスは、所定の入力領域に設けられた検出ユニットを含み、当該検出ユニットは、入力領域の基準位置に配置される指による所定の径方向の側方押圧の検出を通じて第１の方向性入力信号を生成する第１の方向性入力と、指が基準位置に配置される状態で所定の方向の垂直押圧の検出を通じて第２の方向性入力信号を生成する第２の方向性入力と、指が基準位置に配置される状態で傾斜押圧の検出を通じて第３の方向性入力信号を生成する第３の方向性入力と、指が基準位置に配置された状態で傾斜入力の検出を通じて第４の方向性入力信号を生成する第４の方向性入力と、を処理する。制御ユニットは、側方押圧方向、垂直押圧方向、傾斜押圧方向及び指の傾斜方向の入力位置を求め、メモリから関連データを抽出し、抽出したデータを入力するように構成される。
【００１３】
ＵＳ２００９０３１３６９３Ａ１は、パスワードと同様に用いられるグラフィカルパスコードを決定するために、タッチ検知面上のタッチ及び移動を用いる電子アクセスセキュリティのための方法及びシステムを開示する。グラフィカルパスコードは、ユーザによって定義されるようなタッチスクリーン面上のスワイプ、タップ又はドラッグの各種組み合わせを含む。ユーザが選択したグラフィカルパスコードは、ユーザを認証するために、グラフィカルパスコードの後続のエントリーと比較するためにメモリに記憶される。
【００１４】
ＷＯ２００９０９５２６３Ａ１は、指紋ユーザ認証のための手段と、第１のデータを入力するための手段と、を備え、第１のデータを入力するための手段は、指紋センサと結合され、第１のデータは、指紋センサに関するオブジェクトの存在を検知することにより入力され、第１のデータは、オブジェクトの生体特性とは独立している、電子機器を開示する。
【００１５】
ＷＯ２００３００７２２０Ａ１は、キーパッドなしで、ユーザがＩＤ番号を入力しうると共に、指紋取得ウィンドウを通じて指紋を入力する指紋認証装置及び方法を開示する。指紋取得ウィンドウは、２つのセクションに分割され、異なる数字が異なるセクションに割り当てられる。システムは、指紋取得ウィンドウのセクションを現在タッチしている指の位置を定め、指が配置される対応するセクションに割り当てられる数字を見つける指位置から数字への変換部を含む。
【００１６】
ＥＰ１１１３４０５Ａ２は、コマンドインターフェースとして使用可能な指紋検知システムを開示し、ユーザの指紋パターンは、認識され、以前に記憶された基準パターンと比較される。指紋パターンが、以前に記憶されたパターンと一致する場合、ユーザは、同一のインターフェースシステムを介してコマンドを入力することを許可される。自動車の場合には、ユーザは、ユーザの指でユーザ自身を識別し、その後、ドアをアンロックする、シートを選択した位置に設定する又は自動車に乗車する前に自動車を予め始動するようなこのような機能を実行してもよい。
【００１７】
ＷＯ２００２０２８０６７Ａ１は、ディスプレイ及びサイン生成器を含む携帯電話機における単一のサイン生成器で指を接触するシーケンスにより複雑なテキスト入力を生成するための方法及びシステムを開示する。指タッチ検知センサを含むサイン生成器は、少なくとも１つの次元の移動を検出するように適合されうる。システムは、２次元のセンサにおける全方向指移動を測定する分析手段及び変換手段を備える。分析手段は、方向性及びタッチ／非タッチ指移動シーケンスを含む指移動シーケンスの予め設定されたセットに係るサイン生成器における全方向指移動をカテゴリー分けするために用いられる。コマンドテーブルを含む変換手段は、センサ上の指移動の結果として、カテゴリー分けされた指移動を、ディスプレイを制御する信号に変換するために用いられる。
【００１８】
ＵＳ８１１１１３６Ｂ２は、信号の送信を検出及び制御するための制御モジュールを含む指紋スキャナを開示する。指紋スキャンモジュールは、指紋を検出し、タッチを検知するために制御モジュールと結合され、制御モジュールへ指紋信号及びタッチ信号を送信する。指紋スキャンモジュールは、異なるコマンド信号を表すための異なるタッチを検知するためのタッチセンサを含む。
【００１９】
ＵＳ６３７３９６７Ｂ２は、異なる指の指紋が、システムによって認識及び受け付けられるために、適切なシーケンスで入力されなければならないシーケンスで入力されるユーザの指紋を認識するエントリーデバイスを開示する。
【００２０】
ＵＳ６５０９８４７Ｂ１は、タッチインターフェースに加えられる圧力量の経時的な変化を介してアクセスコードを入力する方法を開示する。
【００２１】
ＣＡ２３４０５０１は、指紋又は掌のスキャンを開示し、指紋又は掌紋は、対象が、ある期間において力、トルク及び／又は回転を及ぼす連続紋画像である。
【００２２】
ＵＳ２００７０１２２０１３Ａ１は、指検知領域を有する指検知集積回路（ＩＣ）、指検知ＩＣを受け入れ、かつ少なくとも１つの面取りされたアッパーエッジ及びＩＣキャリアの上側周辺の少なくとも一部を囲むフレームを有するキャビディを有するＩＣキャリアを含んでもよい指センサを開示する。
【００２３】
ＵＳ８３７８５０８Ｂ２は、センサアレイ及び少なくとも１つの導電ベゼルに形成されるダイに搭載される基板を含む、指紋センサのような生体センサデバイスを開示する。ダイ及びベゼルは、機械的、電気的及び環境的損傷からこれらの素子を保護するために単一封止構造で覆われ、センサアレイ及びベゼルの一部は、封止又は他の被覆材料構造によって露出される又は最も薄く覆われる。
【００２４】
本発明者は、指紋センサを用いる人の識別及び認証のためのシステム（ＷＯ２００５０４３４５１）を以前に開示しており、センサ表面は、セクションからセクションへ指を移動することにより、若しくはセンサの表面に簡素なタップを行う又はセンサの表面に簡素な圧力を及ぼすために、ユーザがユーザ特有のコードを登録することを（物理的又は仮想的に）可能にするセクションに副次的に分割される。ユーザ特有のコードは、幾何学パターンの形状、文字シーケンス又は圧力（ドット／ダッシュ）シーケンスを有する。
【００２５】
システムは、そのサイズ要求がおそらく最も重要である、いくつかの欠点を有する。ユーザが、ある程度の信頼性及び再現性でユーザパターンを描く及び／又はタップすることを可能にするために、全体センサ領域は、少なくとも２０×２０ｍｍのサイズを有するべきである。このサイズは、センサ領域を明確なセクションに副次的に分割することを可能にし、ユーザが、ユーザパターンの描画の一部として、異なるセクションにおけるある程度の精度で指先を位置決めすることが可能である。しかし、この理想的な状態に対して、実用目的で使用される指紋センサは、非常に小さく、典型的には、１３×１３ｍｍ未満程度である。
【００２６】
ＷＯ２００５０４３４５１に基づいて説明されるシステムの別の重要な欠点は、ユーザパターンが、センサの表面と接触する指先全体で描かれ、ドット及び／又は終結信号が、センサの表面に対して指先を押すことにより入力されることである。この処理は、センサの表面で正当なユーザに属している大きな指紋残余を残してしまい、正当でないユーザが、指紋を“拾い上げる”ことができ、レプリカを造ることができ、それにより、指紋で保護されたデバイスの認証されない又は違法な使用を可能にする。
【発明の概要】
【００２７】
本開示の第１の態様によれば、
前記ユーザの指をセンサの表面で受け付けるステップと、
前記センサで指紋をスキャンするステップと、
同一のセンサの表面でユーザ特有のコードを受け付けるステップと、を備え、
前記ユーザ特有のコードの入力は、フレームによってガイドされる１以上のジェスチャを含むユーザ特有のパターンの描画を含む、ユーザを認証する方法を提供する。
【００２８】
指紋及びユーザ特有のコードは、記憶された記録と比較され、入力がユーザの記録と一致した場合、ユーザを認証する。
【００２９】
任意に、前記ジェスチャは、ラインジェスチャを含む。
【００３０】
任意に、前記ラインジェスチャは、前記フレームのエッジに隣接する前記センサの表面の一部に沿って指をスワイプすることによって入力される。
【００３１】
任意に、前記ラインジェスチャは、前記フレームの一つのコーナーから別のコーナーへのスワイプモーションを含む。
【００３２】
任意に、前記ジェスチャは、ドットジェスチャを含む。
【００３３】
任意に、前記ドットジェスチャは、前記フレームのコーナーにおける終端を有する前後モーションを含む。
【００３４】
任意に、前記ユーザ特有のコードは、前記フレームのコーナーで開始及び／又は終了する。
【００３５】
任意に、前記ジェスチャは、ユーザ特有のコードの入力の開始及び／又は終了を示すスワイプジェスチャを含む。
【００３６】
任意に、指先の一部のみが前記ユーザ特有のパターンの描画時に前記センサの表面と接触する。
【００３７】
本開示の第２の態様によれば、
指紋スキャンのために指を受け付けること、及びユーザ特有のパターンを含むユーザ特有のコードを受け付けることに適した表面を有するセンサと、
前記センサの表面に前記ユーザ特有のパターンの描画時にユーザの指のユーザの指配置をガイドするフレームと、
を備えるユーザ認証するシステムを提供する。
【００３８】
任意に、前記フレームは、前記センサの表面又はその一部の外周の周りに提供される。
【００３９】
任意に、前記フレームは、タッチで知覚可能である。
【００４０】
任意に、前記フレームは、１以上のコーナーを含む。
【００４１】
任意に、前記フレームは、前記センサの表面及び／又はホストデバイスの表面から突出するエッジを含む。
【００４２】
任意に、前記フレームは、前記センサの表面及び／又はホストデバイスの表面に対して凹んだエッジを含む。
【００４３】
任意に、前記フレーム又はその一部は、触覚フィードバックを提供するために粗面化されている。
【００４４】
任意に、前記フレームは、ホストデバイスの周囲表面及び前記センサの表面から視覚的に区切られた外周又は前記センサの表面の境界を示す又は少なくとも部分的に境界を示す縁を含む。
【００４５】
任意に、前記フレームは、１以上の発光部を含む。
【００４６】
任意に、前記フレームは、接触したときに音響信号を発する１以上の部分を含む。
【００４７】
任意に、前記フレーム又はその一部は、導電素子を含む。
【００４８】
任意に、前記センサは、ホストデバイスで保有され（ｃａｒｒｉｅｄ  ｏｎ）、前記フレームは、使用する際に、前記ホストデバイスを受け入れるセパレートボディで保有される（ｃａｒｒｉｅｄ  ｏｎ）。
【００４９】
任意に、前記ホストデバイスは、ポータブルコンピューティングデバイス又はスマートフォンを含み、前記セパレートボディは、使用する際に、前記ポータブルコンピューティングデバイス又は前記スマートフォンを受け入れるホルスターを含む。
【００５０】
それに代えて、前記ホストデバイスは、決済カードを含み、前記セパレートボディは、使用する際に、前記決済カードを受け入れるためのスロットを含む。
【００５１】
任意に、前記システムは、
少なくとも１つのユーザと関連付けられた指紋パターンデータ及びユーザ特有のコードデータを記憶するメモリ手段と、
指紋パターンデータ及びユーザ特有のコードデータを受け付けるために前記センサと結合され、かつ受け付けたデータを記憶されたデータと比較するために前記メモリ手段と結合され、かつ前記比較に基づく認証結果を戻すプロセッサと、
を備える。
【００５２】
認証結果は、ユーザ認証成功のイベントにおける特定のアクション又はアクティビティを可能にするため、又はユーザ認証失敗のイベントにおける特定のアクション又はアクティビティを否定するためにホストデバイスによって用いられる。
【００５３】
本開示の第３の態様によれば、
指紋スキャンのために指を受け付けること、及びユーザ特有のパターンを含むユーザ特有のコードを受け付けることに適した表面を有するセンサと、
前記センサの表面上での前記ユーザ特有のパターンの描画時にユーザの指のユーザの指配置をガイドするためのフレームと、
を備えるユーザ認証システムを備えるホストデバイスを提供する。
【００５４】
ユーザ認証システムは、第１の態様の構成のいずれか、又は本明細書で説明されるような構成のいずれかを含んでもよく、ホストデバイスは、本明細書で説明されるような第２の態様の方法を実行するために用いられてもよい。
【００５５】
任意に、前記ホストデバイスは、モバイルコンピューティングデバイス、携帯電話機、金融決済カード又は身分証明書である。
【００５６】
本開示の第４の態様によれば、
コンピューティングデバイスで実行されたときに、ユーザ特有のパターンに関するジェスチャを含む指紋データ及びユーザ特有のコードデータを受け付け、
受け付けたデータを記憶されたデータと比較し、
前記比較に基づく認証結果を戻す
ことが可能な命令で符号化されたコンピュータプログラム製品を提供する。
【図面の簡単な説明】
【００５７】
本発明は、単なる例示による、添付の図面を参照しながら説明される。
【００５８】
【図１】図１は、センサの表面が、高くなったフレームによって囲まれた指紋センサを示す。
【図２】図２は、センサの表面が、低くなった又は窪んだフレームによって囲まれた指紋センサを示す。
【図３】図３は、センサの表面と比べて、周囲フレームの上部が凹凸があり、平らでない指紋センサを示す。
【図４】図４は、センサの表面での指紋のスキャンを示す。
【図５】図５は、センサの表面を囲むフレームを検出する指を示す。
【図６】図６は、センサの表面を囲むフレームの一つのコーナーにおける指先の位置を示す。
【図７】図７は、あるコーナーで開始し、別のコーナーで終了する２つの接続されたラインを含む簡素なラインパターンの図を示す。
【図８】図８は、ユーザパターンを描く間に指のターニングポイントとしてのコーナーの使用を示す。
【図９】図９は、フレーム及びセンサエリアに対するフリンジ領域の位置並びにフリンジ領域内のラインパターンの描画を示す。
【図１０】図１０は、指先の前後運動によるコーナーにおける単一のドットの入力の例を示す。
【図１１】図１１は、ライン及びドットを含む組み合わせパターンの図を示す。
【図１２】図１２は、ユーザパターンの開始及び／又は終了を表すために、フレームの一端から反対端へのラインの図を示す。
【図１３】図１３は、周囲フレームの一部が導電エンティティを構成する指紋センサを示す。
【図１４】図１４は、ユーザ認証方法の各種態様を要約している。
【図１５】図１５は、センサの表面のコーナーをマッピングする原理及びユーザパターンを参照するために用いられる図形記号を示す。
【図１６】図１６は、背面に指紋センサを有するスマートフォンを示す。
【図１７】図１７は、指紋センサを組み込んだ決済カード及びその使用を示す。
【図１８】図１８は、物理構造以外の手段がセンサフレームを位置決めするために用いられるセンサシステムを示す。
【図１９】図１９は、図１８に係るセンサがディスプレイ領域に組み込まれたスマートフォンを示す。
【図２０】図２０は、ディスプレイがセンサフレームの画像を提供するスマートフォンを示す。
【図２１】図２１は、小さな面積のセンサで有益なフレーム配置を示す。
【図２２】図２２は、ホルスターが、センサフレームとして機能する正方形の開口を含むスマートフォンを保護するホルスターの使用を示す。
【図２３】図２３は、決済カードを受け付けるエンティティが、センサフレームとして機能する正方形開口を含む突出エレメントに備えられる指紋センサを有する決済カードの使用を示す。
【発明を実施するための形態】
【００５９】
本開示は、指紋をスキャンするために用いられる光学、光電子、超音波、圧力ベース、無線周波数ベース、熱、容量性及び他の物理原理に基づく電子指紋センサのユーザの認証のための方法を提供する。本方法は、一つ及び同一のセンサシステムによって、個人の、ユーザによって定義され、かつユーザ特有の認証と組み合わせた指紋の入力を含む。
【００６０】
センサは、特定のユーザによるユーザパターンと組み合わせて入力される指紋の特性を評価し、このような組み合わせを指紋及びユーザパターンでの記憶された情報と比較し、ユーザの識別を認証（照合）するためにこの比較の結果を用いるために適したシステムと接続されて用いられる。
【００６１】
本開示は、ユーザ特有のコードの入力時に、ユーザによって認識又は検知されうるセンサの表面又はセンサの表面の少なくとも一部を囲むフレームを提供する。ユーザ特有のコードの入力は、付加的に、ユーザの指によって圧力の選択的な加圧のような他の素子と組み合わせて、ユーザ特有のパターンの描画を含んでもよい。ユーザ特有のコードは、以下により詳細に説明される。
【００６２】
（コード入力の一部としての）パターンの描画時に完全な制御を維持するために、ユーザは、センサの表面に対する指の位置、つまり、指と目視による接触のない一部の実施形態について、絶えず気づく必要がある。この理由のため、動作の好ましいモードによれば、ユーザは、ユーザ特有のコードの入力のためのフレームと連続的に接触する指先を維持するであろう。指とフレームとの連続的な接触は、以下に説明されるように、ラインジェスチャ及びドットジェスチャの両方について維持されてもよい。
【００６３】
更に、コード入力（描画）処理時に登録されるため、指先の一部のみがセンサの表面と接触する必要があり、大部分は、重複し、フレーム境界を超えてしまってもよい。
【００６４】
フレームは、ユーザ特有のコードを入力する際に、ユーザによって認識又は検知されうるエッジ及びコーナーを含んでもよく、ユーザ特有のコード又はその一部を入力する際にユーザの指をガイドするために機能する。好ましい実施形態では、正方形又は矩形フレームは、したがって、４つのエッジ及び４つのコーナーを含む。
【００６５】
フレームによってガイドされるとき、ユーザ特有のコードの入力時に描かれるパターンは、フレーム内のセンサの表面のフリンジ領域に限定される。
【００６６】
フレームのコーナーは、また、コードを入力するときにキーとしての役割を果たしてもよい。ユーザパターンは、コーナーにおいて開始及び終了するように制約されてもよく、以下に説明されるように、“ドット”のような他のジェスチャの動作のための基準点も提供してもよい。
【００６７】
指は、ユーザパターンを描画する前置きとしてセンサの表面のランダムスポットに置かれ、指先の最初の動きは、４つのコーナーのうちの１つに向かうであろう。この初めのコーナーは、ユーザ特有のパターンの開始点を示す。
【００６８】
コーナーは、センサ配置の最も容易に識別可能な構成であり、したがって、ユーザ特有のコードの入力のための開始点として理想的である。コーナーは、また、コード入力の自然な終了点も提供してもよい。
【００６９】
フレームの使用は、センサの表面近傍に導電素子の組み込みも可能にし、容量性ベースの指紋センサシステムでの使用のために有利である。このようなセンサのために、フレームは、導電素子を形成又は備えてもよく、よって、センサのキャパシタプレートアレイと指との間の電位差（電圧）を確立するために適しており、指紋スキャニング及びこの種の指紋センサを用いるときにユーザパターンを描くために使用されてもよい。
【００７０】
導電素子は、指紋のスキャニング及びユーザ特有のパターンの描画時に指の表面に確実に露出される限りフレームの一部を単に構成してもよい。
【００７１】
導電素子は、フレーム又はフレームの一部又は全部を形成するものに形成される導電材料からなる適切なベゼル、リム又はストリップを備えてもよい。
【００７２】
フレームは、一部の実施形態では、指紋センサが設けられるセンサの表面の突出部及び／又はホストデバイスの表面の突出部であるエッジ（及びコーナー）を備えてもよく、指によって検知されうる突起を形成する。
【００７３】
それに代えて、エッジ（及びコーナー）は、センサの表面に対して凹んでいてもよい、及び／又はホストデバイスの表面に対して凹んでいてもよく、指によって検知されうる凹んだチャネル又は凹みを形成する。
【００７４】
突出している又は凹んだエッジの使用は、ユーザ特有のコードの入力時に指の移動をガイドするために機能し、そのため、これは、小面積（例えば、１３×１３ｍｍ以下）のセンサへの適度な使用を可能にし、コードパターンの入力時の高い精度及び再現性を可能にする。
【００７５】
更に別の実施形態では、フレームは、他の手段によりユーザによって認識されてもよく、視覚的（フレームが刻まれる又はグラフィック表示される、発光する等）、聴覚的（接触したときに音が鳴る）、構造的（波形、刻目又は溝のある表面）又は触覚手段を通じて（振動を生じる又は接触したときに突き刺す感覚を生じる）認識されることを含む。このような効果は、恒久的又は条件付き（例えば、フレームと接触することによって生じられる又は特定の指の位置によって生じられる）であってもよく、フレームのエッジ及びコーナーに対する指の位置に応じた質及び強度で変化してもよい。用語“フレームと接触する”、“指がフレームと重なる”及び本稿を通じて使用される同様の表現は、後者の種類の実施形態について、指がフレームの仮想的な描写の上又は近傍に配置されることを単に識別してもよい。
【００７６】
これらの“他の手段”（視覚、聴覚、構造又は触覚手段を含む）は、突出した又は凹んだエッジ、及び／又は互いに取りうる組み合わせで採用されてもよい。例えば、エッジが突出したフレームは、壁の形成（ｃｒｅｎｅｌｌａｔｉｏｎｓ）、鮮やかな色付け及び触覚フィードバックで更に強調されうる。
【００７７】
上述したように、本開示は、ユーザ特有のコードの入力を含む。このコードの入力は、ユーザ特有のコードの描画を含む。これは、指を置くことに加えて、１以上のジェスチャを用いてパターン（“ユーザパターン”）を“描く”ユーザによって実現される。
【００７８】
これらのジェスチャは、異なる種類のジェスチャを含んでもよく、本明細書では“ラインジェスチャ”及び“ドットジェスチャ”という。ラインジェスチャは、センサ表面を拭くモーションを含み、一方、ドットジェスチャは、センサの表面での簡潔な前後移動を含む。このようなグラフィックパターンは、文字及び数字コードを記憶するよりも簡単である。
【００７９】
センサの表面に付けられる“ドット”及び“ダッシュ”を識別するタップ又は圧力の増加は、一見して、指紋センサによりユーザ特有のコードを入力する最も簡易な手法を示す。しかし、この方法はいくつかの欠点を有する。第１に、センサの表面でユーザコードをタップすることは、知覚にいる人々に聞こえる場合があり、容易に取得され、不当なユーザによって再現されてしまう。第２に、ドット及びダッシュのシーケンスは、コードが非常に大規模になり、そのため、非常に長く（かつ記憶することが困難に）ならない限り、コードの代わりの回数に制限がある。
【００８０】
ドット及びダッシュをタップすることの代わりとしては、センサの表面に対して指先を置き、タップされたドット及びダッシュをシミュレートするために簡素な動き（“プレッシャーバウト（ｐｒｅｓｓｕｒｅ  ｂｏｕｔ）”）のために増加した圧力を及ぼすことがある。この動きは、指に特定の歪みを与えるが、このように付けられる個々のドットとダッシュとの間の区別を困難にする場合がある。
【００８１】
本発明者は、ユーザ特有のラインパターンを入力するために取られるアプローチが、ユーザ定義パターンの一部としてドットを用いるときにも適応性を有することを発見した。ここで再び、フレームのコーナーは、キーとしての役割を果たす。指先がコーナーのうちの１つに残っているとき、ユーザは、隣接するエッジのうちの１つに沿って指の簡潔な移動を行い、コーナーへ戻る。簡潔な前後移動は、実行しやすく、かつセンサによって取得しやすい。このドット付着方法は、ラインパターン描画（指をコーナーからコーナーへ移動する）に容易に統合され、本開示によって提供される方法のフレームワーク内で利用可能なユーザパターンの数を非常に増加させる。
【００８２】
それに代えて、上記で概説されたようなその欠点にもかかわらず、ドットジェスチャは、センサの表面に対して指先を押すことによって提供されうる。
【００８３】
ユーザパターンは、定義された複数のライン（“ラインパターン”）のシーケンス、定義された複数のドット（“ドットパターン”）のシーケンス、又は定義された複数のライン及びドットの組み合わせ（“組み合わせパターン”）のいずれかを備えてもよい。
【００８４】
ユーザパターンは、４つのコーナーのうちの１つで開始し、１つのコーナーで終了することが描かれてもよく、コーナーは、更に、ラインパターン及び組み合わせパターンを描く際に指のターニングポイントとして機能してもよい。ユーザパターンは、少なくとも２つの接続されたラインを含むことが好ましく、付加的に、フレームのコーナーに入力されるドットパターンを含んでもよい。フリンジ領域の全体的又は部分的に外側のセンサの表面に入力されたラインは、ユーザパターンの入力の開始及び／又は終了を示す信号を表してもよい。
【００８５】
より具体的には、パターンを入力するとき、電子指紋センサのユーザの認証のための方法は、ユーザが表面のランダムなスポットに指先を置き、フレームのある特定のコーナーに移動する又はそれに代えて指先をコーナーに直接配置することを含む。その後、指は、２つの隣接するエッジの１つに沿って別のコーナーへ移動され、ラインパターンは、終了する又は指は、それに代えて、２つの隣接するエッジの１つに沿って上へ、更に別のコーナー又は前のコーナーに移動される。ラインパターンは、このコーナーで終了する又はコーナーからコーナーへエッジに沿って指を移動することを含む一般的なパターンは、ラインパターンが完成するまで所望の回数繰り返される。シーケンスの入力が完了すると、連続的なラインパターン（接続されたラインを含む）は、完成したユーザパターンを得るために一回又は複数回行われてもよい。
【００８６】
それに代えて、組み合わせパターンを入力するとき、電子指紋センサのユーザの認証のための方法は、ユーザが表面のランダムなスポットに指先を置き、フレームのある特定のコーナーに移動する又はそれに代えて指先をコーナーに直接配置することを含む。ここで、ユーザは、このコーナーに指を残したまま、１以上のドットを含むドットパターンを入力する、又は２つの隣接するエッジの１つに沿って指を他のコーナーへ即座に移動する。ここで、ユーザは、組み合わせパターンを終了する、それに代えて、指をコーナーに残したまま、１以上のドットを含むドットパターンを入力する、又は２つの隣接するエッジの１つに沿って上へ指を更に別のコーナーへ即座に移動する。ここで、組み合わせパターンは、終了する、又はコーナーからコーナーへエッジに沿って指を移動することを含む一般的なパターンは、ラインパターンが完成するまで所望の回数繰り返される。完了した組み合わせパターンのシーケンスの入力（接続されたラインを含む）は、完了したユーザパターンを得るために一回又は複数回行われてもよい。
【００８７】
組み合わせパターンの一部としての単一のドットは、ユーザがコーナーの外へ素早く指先を移動し、同じコーナーへ戻す（前後移動）によって入力されてもよい。“ドット”は、移動の１つが特定の閾値を下回る前後移動を有するように認識されうる。適切な閾値の例は、隣接するエッジの最も短い長さの５０％未満の距離であってもよい。移動は、パターンの描画時に指と同じ方向を指すエッジに沿って行われることが好ましい。複数のドットは、上記の前後移動を繰り替えることによって入力されてもよい。
【００８８】
組み合わせパターンの一部としての単一のドットは、それに代えて、ユーザが１回以上圧力を増加させることにより入力されてもよい。
【００８９】
本方法は、また、ユーザパターンの開始及び／又は終了を示すために、ユーザが、センサの表面において１つのエッジから反対エッジへ１以上のラインを描く処理を含んでもよい。このモーションは、また、センサの表面に付けられている指紋パターンを拭き取るために機能してもよい。
【００９０】
本発明に係る方法を実行するために重要な必須要件は、センサの表面（２）が知覚可能なフレーム（３）によって囲まれる指紋センサ（１；図１ａ）を用いることの要件である。フレーム自体は、一部の実施形態では、デバイスボディ（４）の一部を構成してもよい、又はユーザが、フレームのエッジに亘って指を移動するときにセンサの表面の外縁を感知するように構成されてもよい。図１ｂは、フレーム（３）がセンサの表面（２）に対して高くなっており、デバイスを取り囲むケーシング（４）における正方形又は矩形開口を構成してもよい実施形態を示す。フレームは、図１ｂに示されるような直線的なエッジ（３）を含んでもよく、又はエッジ（５）は、図１ｃに示されるようにわずかに丸みを帯びていていもよい。（図面を簡素化するために本明細書で使用されるような）完全に正方形のコーナーを有するフレームを用いることに代えて、コーナーは、本発明の基本原理から逸脱せずに、人間工学及び外観を改善するために、わずかに丸みを帯びている又は“切断”されてもよい。指紋センサ（１）自体は、本明細書では簡素化のために矩形プレートの形状で図示される。しかし、センサの形状及び構造が本発明に係る方法の実行に影響しないように、最新のセンサが非常に薄く、かつ、図示されない複雑な内部構造及び接点の外部リムを有することが理解される。
【００９１】
本方法を実行するための知覚可能なフレームを使用する要件にも合致する別のフレーム構造は、図２に示される。ここで、フレーム（７）は、センサの表面（２）と比べて凹んでおり、溝の形状を有し、センサの表面（２）がデバイスケーシング（８）のレベルに位置決めされることができる。
【００９２】
本方法を決済カード、アクセスカード等に採用する場合、分厚いセンサ／フレーム構造は容認されない。このような用途のために、フレーム又はその一部の表面は、通常は滑らか又は研磨されるカード面の残りの部分と比べてフレームの構造又は質感を変化させることにより、凹凸が付けられることによって知覚可能に製造されてもよい。この原理は、図３に示され、センサの表面（２）は、カードボディ（１１）の何もない外側表面に対して、波形、畝、溝又は刻みのある構造を有するフレームによって囲まれる。
【００９３】
正方形又は矩形センサ表面に面する正方形又は矩形フレームを使用することには意味があるが、特定の目的のために必要である場合、三角形又は多角形（＞４面）を使用することもできる。
【００９４】
図４は、センサの表面（２）での指紋のスキャンを示す。高くなったエッジを有するフレーム（３）を使用することにより、指（１２）の位置決めを容易にし、素早くかつ再現可能な指紋スキャンを確実にする。畝（１４）及び細部（１５）を含む指紋（１３）は、図４ｃに示される。
【００９５】
図５は、２つの異なる構造原理に基づくフレームの突出したエッジが、センサの表面（３）の外形をユーザに感じさせるためにどのように機能するかを示し、初めに、図５ｂに基づく高くなったフレーム（３）の内側及び外側を埋める指先（１２）を示し、また、図５ｃに基づく低くなった又は凹んだフレーム（７）が指によってどのように検知されるかを示す。センサの表面（２）及びフレーム（３）に対する概念的な指先の跡（１３）は、図５ｄに示され、指先表面の最大部分が、ユーザパターンを描いているときにセンサ領域の外側に配置されることを示す。
【００９６】
ユーザパターンを描くとき、指先は、図６ａに示されるように、指紋を付けるときよりも高くなっている。ここで、パターンを描画するとき、指先（１６）は、センサの表面（２）に対して約６０°の角度で向けられる。典型的な仰角は、５０−７０°であろう。指は、図６ｂの全体接触面（２０）によって示されるように、フレーム（３）の４つのコーナーのうちの１つに残っている（簡略化のために、“コーナーに（ｉｎ  ａ  ｃｏｒｎｅｒ）”又は“前記コーナーに（ｉｎ  ｔｈｅ  ｃｏｒｎｅｒ）”の用語は、本稿を通じて一般的に用いられるが、指先は、実際には、コーナーに又はコーナー上に（ａｔ  ｏｒ  ｕｐｏｎ  ｔｈｅ  ｃｏｒｎｅｒ）残っていてもよい）。指先（１７）の一部のみがセンサの表面と実際に接触するであろう。本明細書で用いられる専門用語によれば、４つの側の正方形又は矩形フレームは、４つのエッジ（１８）及び４つのコーナー（１９）を含むであろう。ユーザパターンを描画する際に、指先は、エッジ（１８）に沿ってコーナー（１９）に移動され、接触面（２０）がフレーム（３）の外形の外側を覆い、かつかなり移動する。
【００９７】
図７は、簡素な、二本足（ｔｗｏ−ｌｅｇｇｅｄ）ユーザパターン（ラインパターン）の描画を示す。描画は、左上のコーナーにおいてユーザが指先を置くことで開始し（２０；図７ａ）、ユーザパターンの開始点を表す。ユーザは、それに代えて、センサの表面（２）の他の箇所に指を配置することにより描画処理を開始し、続いて、指先を前記コーナー（２０）に移動してもよい。パターンの開始点は、記号“Ｓ”によって表される（２１；図７ｂ）。指先は、その後、左側エッジ（２２）に沿って左下コーナー（２３）へ移動され、更に、隣接する下側エッジ（２４；図７ｃ）に沿って右下コーナー（２５）へ移動され、Ｌ字型のユーザパターンが完成される。
【００９８】
フレームのコーナーは、本発明に係る方法を実行するために不可欠なキーとなる配置を示す。それらは、ユーザパターンの描画のための開始及び終了点を示し、更に、パターン内を移動する際に指先に対してターニングポイントを示す。これは、図８に示され、一つの点における指先は、右下コーナーに配置される（２６；図８ａ）。本方法に係る一基本原理によれば（パターン入力時にフレームのエッジを連続的に接触する）、ユーザは、指先を右上コーナーへ移動する（２７；図８ｂ）又は指先を左下コーナーに戻す（２８；図８ｃ）の２つの選択肢（このコーナーでパターンを終了することを除く）を有する。いずれの場合にも、コーナーは、指先のターニングポイントとして機能し、物理的に明確なフレームが使用されるときに目視による接触なしでも容易に認識可能である。これは、前述された方法（ＷＯ２００５０４３４５１に開示される原理を含む）パターンが、センサのコーナーとは基本的に独立した、特化した表面セグメント又は設計された／番号が付けられた領域を参照するセンサ上で描かれる又はタップされる。
【００９９】
図９は、パターン描画時にセンサフレーム（３）に指先を追従したことにより、センサの表面（２）と実際に接触する接触領域（２０）は非常に狭いことを示す。指とセンサとの接触は、表面範囲（２）の外側部として網掛けされたフリンジ領域（２９）に対して実際に制限される。このフリンジ領域（２９）の大きさは、絶対的ではなく、異なるユーザの描画行為に依存する。しかし、異なるユーザが異なるフリンジ領域の大きさを必要とするとき、これは、ある（正当な）ユーザと別の（正当ではない）ユーザを区別する識別可能な特性を示す。図９は、ユーザが、フリンジ領域（２９）に対して全体的に制限されるユーザ特性のパターンをどのように描くかを示し、左上のコーナー（２０）のパターンから開始し、左下のコーナー（３０）へ下がり、右下のコーナー（３１）で終了する。
【０１００】
フレームのエッジに沿って描かれるラインにより形成されるユーザパターンは、特に、制限された表面積のセンサを用いるとき、最も簡素で、最も記憶しやすく、取りうる選択肢が最も再現性が高いことが明確である。純粋なラインパターンの描画に関連する弱点は、取りうるユーザコードの数が制限される点である。利用可能なコードの数は、フレームが、ラインパターンを開始する小さい複数のコーナーを有すること、及び所与のコーナー外に指先を移動し、次に２つの選択肢のみを提供することによって制限される。４つのコーナーにあるセンサフレームに沿って描かれるパターンの例を検討する。
コーナー１（０ライン）：４つの取りうる位置
コーナー２（１ライン）：８つのラインパターン
コーナー３（２ライン）：１６のラインパターン
コーナー４（３ライン）：３２のラインパターン
コーナーｎ（ｎ−１ライン）：２ｎ＋２ラインパターン
ラインパターンは、ラインの開始及び終了点及び移動の向きによって定義されること、同一のフレームコーナーは、一つのパターンにおいて複数回用いられてもよいこと−上記の例のコーナーについてのカーディナルラベル（ｃａｒｄｉｎａｌ  ｌａｂｅｌｓ）は、フレームの位置ではなくパターンのシーケンスの順序を参照することを留意する。
【０１０１】
一方、このようなユーザパターンが、それ自体が再現することが困難な指紋の上に追加のセキュリティを提供するために用いられるとき、この第一線のセキュリティ手段で複雑なユーザコードを使用するために余分である場合もある。４つのラインのユーザパターン（６４の取りうる選択肢）は、殆どの場合に十分である考えられ、ラインパターンが、実行及び記憶するために難しすぎるパターンにならずに、容易に拡張されてもよい。
【０１０２】
ユーザパターンを２つの別のラインパターンに分割することは、単一の連続的なラインパターンと比較して、ライン数の関数として、コードの取りうる選択肢の数が倍になる。通常、別のラインパターン（Ｎ）及びラインの総数（Ｍ）の関数としてコードの数（Ｍ）は、以下
Ｍ＝Ｎ×２ｎ＋２
のようになる。コードの柔軟性及び多様性は、ユーザパターンを描くときに、ラインに加えて“ドット”を導入することにより拡張されうる。ドットは、特定のスポットに配置されるとき、指を小さく側方へ動かすために指先を用いることにより入力されてもよい。再現可能なパターン描画方法を作る根本的な原理によるラインでは、簡素かつユーザフレンドリーな（指に不要な負担をかけない）“ドット”は、フレームのコーナーに配置されるとき、指のわずかな移動によって生成されてもよい。
【０１０３】
当該原理は、図１０に示される。ここで、指先は、初めに、フレームの左下コーナーに配置される（図１０ａ）。新たな位置へ指先をフレームの左側に沿って上に短い距離移動し（３３、図１０ｂ）、そして、コーナーへ再び戻る（３４；図１０ｃ）ことは“ドット”と等しい。指先は、それに代えて、フレームの下部エッジに沿って前後に移動されてもよく、又はセンサの表面（２）に亘って前後に斜めに移動されてもよく、同一の結果を生じる。しかし、人間工学及び操作の容易さの観点から、指の指す方向にこの簡素な入力モーションを実行することが好ましい（図１０ｂ及び図１０ｃの矢印で示される）。本発明の好ましい実施形態によれば、ドットは、したがって、指先が二つの下部コーナーの一つに配置されるとき、簡素で、上向きの前後モーションとして入力され、指先が二つの上部コーナーの一つに配置されるとき、簡素で、下向きの前後モーションとして入力される。前後モーションの一つの長さは、図１０ｂのＭ１及びＭ２によって示されるように、通常、フレームのエッジの長さの２０−４０％以内、かつエッジ長さの最大５０％に制限される。
【０１０４】
図１１は、“ドット移動”又は“ドット描画”に関連付けられる記号が短い、両頭矢印である組み合わせ（ライン＋ドット）の入力を示す。パターンは、フレームの左上のコーナーの指先から開始される（３；図１１ａ）。そして、指先は、左側のエッジにそって左下のコーナーへ移動され（３５；図１１ｂ）、単一の前後移動（３６）が行われる。最後に、指先は、下部エッジに沿って右下のコーナーへ移動され（３７；図１１ｃ）ユーザパターンは、２つのドットの入力で完成する（３８）。
【０１０５】
コーナーに入力されたドットの数は、特定の閾値に限定されてもよい。３つのドットに限定した例では（４つの取りうる選択肢０、１、２及び３のドットを提供する）、ライン数（ｎ）の関数としてユーザパターンの最大数（Ｍ）を示す式は、以下
Ｍ＝２２ｎ＋４
のようになる。したがって、単に、３つのラインを含む簡素な組み合わせパターンについては、２１０＝１０２４である。Ｎ個の別のセグメントを含む組み合わせパターンについては、別のパターンの数は、
Ｍ＝Ｎ×２２ｎ＋４
となる。よって、ラインに加えてユーザパターンの一部としてドットを導入することにより、別のコードパターンの数は、非常に増加する。
【０１０６】
指紋センサを用いることの大きな欠点は、詐欺利用を意図してセンサの表面を“拾い上げ（ｌｉｆｔｅｄ  ｏｆｆ）”られうる正当なユーザの“読み取り可能な”指紋の残余の付着のリスクである。コードパターンの入力のためにセンサの表面のフリンジ領域を単に用いることに加えて、本発明は、図１２に示されるように、読み取り可能な指紋の残余を取り除くセンサの表面を拭く方法も提供する。
【０１０７】
図１２ａでは、指先（３９）は、初めに、フレーム（３）の左側のエッジの上に配置され、よって、センサの表面（２）において単一のスワイプ（４０）で右側のエッジへ移動される。この種の移動は、ユーザパターンの入力が完了したことを示すためにサインとして用いられてもよい。それに代えて、素早い２回のスワイプがパターン入力の完了を示す一方で、ユーザパターンの開始を示すために用いられてもよい。指先（４１）が右側エッジから反対側の左側エッジへ移動される図１２ｂに示される移動は、訂正サインとして用いられてもよい、つまり、描かれたパターンシーケンスは、誤っており、無視すべきであり、新たな、正しいパターンが続く。図１２ｃの指先（４３）の垂直移動（４４）又は同様の上への移動は、指紋センサ（１）の使用に関する他の合図目的のために使用されてもよい。
【０１０８】
容量性の原理に基づく一部の種類のセンサは、センサのプレートアレイと指先との電位差（電圧）の確立を必要とする。この理由のため、このようなセンサは、指紋のスキャン時に指と接触する必要がある導電エンティティを装備する。本発明に係る認証手順を実行するための突出フレームの使用は、図１３に示されるように、容量性センサ（４５）の一部として導電エンティティのしようと組み合わせることが有利である。ここで、キャパシタプレートが配置される下のセンサ表面（２）は、フレーム（３）によって囲まれ、図１３ｂでは、導電ベゼル（４６）を含み、図１３ｃでは、導電リム（４７）を含み、図１３ｄでは導電片（４８）を含む。ユーザ特有のパターンを描くための本明細書に開示される方法は、指が導電エンティティと連続的に接触し、それにより、センサが適切に動作することを確実にする（しかし、例えば、センサの表面をフレームの下部エッジと接触する平坦な指でスワイプすることにより、パターン入力の開始、終了及び訂正に関する信号は、なんらかの変更がなされる）。
【０１０９】
図１４は、指紋センサの各種要素を要約しており、センサの表面（２）を囲む高くなったフレームのあるコーナーに残っているわずかに直立した指先（１６；図１４ａ）及びユーザパターンを描くための準備を示す。図１４ｂは、指先の大部分がフレーム（３）及びデバイスケーシングの外側に残っており、わずかな部分（１７）のみがセンサの表面（２）と実際に接触していることを示す。図１４ｃは、指先接触領域（２０）と、エッジ（１８）及びコーナー（１９）を含むフレーム（３）とを含む、開示された方法により使用される更なる要素を示す。図１４ｄは、Ｕ字型ラインパターン（４９）及びユーザパターンの信号の完了を示すために、センサの表面において記号Ｃから描かれるライン（５０）の入力を示す。
【０１１０】
図１５は、センサの表面のコーナーをマッピングするための原理及びユーザパターンを示すために用いられる記号を示す。図１５ａでは、ＡからＤの大文字（５１）は、フレームの４つのコーナーを示すために時計回りに用いられる。図１５ｂでは、１から４の数字（５２）は、同様に用いられる。図１５ｃは、より複雑な組み合わせパターンを示し、単一ドット（５３）で左上のコーナーを開始し、右上のコーナーへ移動し、ダブルドット（５４）を入力し、左上のコーナーへ戻り、その後、右上のコーナーへ戻り、更に、右下のコーナーへ下がってダブルドット（５５）が入力され、その後、左下のコーナーへ進み、シングルドット（５６）を入力する左上のコーナーへ上がり、その後、シングルドット（５７）が入力される左下のコーナーへ下がり、右下のコーナーへの移動でパターンが完了する。文字又は記号を用いることによってコードパターンを書き表すときには、単純な記号を用いてもよく、ドットは、“ｖ”，“ｏ”又は“０”により表され、ラインは、ＡＢ，ＢＣＤ，１２，３２等によって表わされる。よって、図５ｃに描かれるユーザパターンは、以下
ＡｖＢｖｖＡＢＣｖｖＤＡｖＤｖＣ，１ｏ２ｏｏ１２３ｏｏ４１ｏ４ｏ３，又は“数字”１０２００１２３００４１０４０３
のように表わされる。図１５ｃに示されるような、単純なユーザパターン（例えば、ＢＣＢＡ）が殆どの用途で十分であるが、より複雑なコードは、特定の重要な認証目的に用いられる、又は短いコードを用いて複数回失敗した後に、システムをアンロックするためにＰＵＫコードとして同じように用いられてもよい。
【０１１１】
図１６は、電話機の裏側に指紋センサ（５９）を備えるスマートフォン（５８）を示す。センサは、フレーム（ここでは高くなったエッジを有する）を備え、よって、指紋のスキャン及びユーザ特有のパターンを入力することを容易にするのに適している。（指紋による）ユーザ識別及び（ユーザパターンによる）認証の両方は、例えば、通常の“正しい向き”の位置にスマートフォンを維持するとき、又は電話機がポケット又はハンドバッグにあるとき、ユーザが実際に指紋センサを目視せずに実行されることができる。これは、この種のデバイスの使用に関連するセキュリティを非常に増大させ、“電子ウォレット”として使用すること及び同様のセキュリティ要件を有する他の目的に適する。
【０１１２】
図１７は、決済カード（６０）の一部として指紋センサ（６１；図１７ａ）の組み込みを示す。図３のセンサ配置は、この特定の用途に特に適している。ユーザがカードをカードリーダー（図示せず）に押し付けた際に、指紋は、センサの表面（６１）上の指（６２）でスキャンされる。カードがリーダーにあることにより、ユーザは、センサの表面上にユーザパターンを容易に入力できる。
【０１１３】
ユーザパターンの入力時に、高くなった又は凹んだセンサフレームは、正確なガイドに特に適しており、よって、目視による接触無しでの動作に適しているが、他の実施形態は、他の手段によって知覚可能であるフレームを採用してもよく、例えば、スマートフォンのディスプレイ領域内又はディスプレイ領域に近い簡素かつ滑らかな表面にセンサが組み込まれることを可能にする。
【０１１４】
このような例では、センサフレームは、刻み込まれる（恒久的に）ことにより、ディスプレイシステムを用いたグラフィック表現（一時的又は条件付きで）により、発光する（一時的又は条件付きで）ことにより、又は振動による触覚フィードバックを通じて、のような他の手段によって知覚可能にされる。
【０１１５】
組み込まれるが他の手段によって知覚可能にされる領域とは物理的に異なるフレームによって囲まれるセンサの例は、図１８に示される。図１８ａは、フレーム（６５）によって囲まれるセンサ領域（６４）を含むセンサ（６３）を示す。フレーム（６５）の概念的な構造及び位置は、図１８ｂに示され、フレーム自体は、発光又は振動してもよい。センサ配置は、薄いガラス板又はポリマーフィルム（６６）の下に配置される。ディスプレイ部品（ＬＥＤアレイ等）は、追加の通知システムを用いずに装置がフレームの位置及びサイズを視覚化することができる概念的なフレーム配置（６５）を任意に構成してもよい。図１８ｃは、指先（６７）がセンサの表面に対して平坦に配置され、フレーム（６５）を検知しないことを示す。フレームとの接触（ｉｎ  ｔｏｕｃｈ  ｗｉｔｈ  ｔｈｅ  ｆｒａｍｅ）、フレームに重畳する指（ｆｉｎｇｅｒ  ｏｖｅｒｌａｙｉｎｇ  ｔｈｅ  ｆｒａｍｅ）及び本稿を通じて使用される同様の表現は、一部の実施形態についてのみ、指がフレームの仮想表現上又は仮想表現近傍に配置されることを示す。
【０１１６】
図１９ａは、大型ディスプレイ（６９）を有するスマートフォン（６８）を示し、指紋センサ（６３）は、例えば、ＬＥＤアレイ上のディスプレイ領域に組み込まれる。センサのフレームは、指紋又はユーザ特有のコードの入力が必要とされるとき（例えば、スタートアップ時、トランザクションの一部として、又は他の機能又はプログラムによって要求されるとき）、要求に応じて、視覚可能にされてもよい。図１９ｂは、同様の実施形態を示し、大型ディスプレイ（７６）を有するスマートフォン（７５）は、ディスプレイ領域の下に配置される指紋センサ（６３）を組み込む。
【０１１７】
小面積のセンサを用いるとき、ユーザパターンの正確な入力は、フレームが周囲とは物理的に異ならない場合には困難である。このような例では、図２０ａで提供される解決手段が特に有益であることがわかる。ここで、センサのフレームの拡大された画像（８０）は、スマートフォンの画面（７８）上に表示される。ユーザが、実際の指紋センサのフレーム（７９）上に指（８１）を置いたとき、これは、画面上のグラフィック表現（８２）によって示される。これは、ユーザパターンの入力時に指のより正確な操作を可能にし、ここで、簡素な、２つのライン記号（８３）によって示される。
【０１１８】
図２０ｂに更に示されるように、タッチ検出スクリーン（７８）を有するデバイス（７７）（スマートフォン、ラップトップ、コンピュータタブレット等）を用いるとき、ユーザ特有のパターン（８３）の入力は、実際には、ガイドとして表示されるフレーム（８０）を用いて画面上で直接指（８１）によって行われてもよい。
【０１１９】
フレームは、図２１に示されるように、センサの表面の近傍に配置されなくてもよい。ここで、フレーム（７３）は、センサ表面（７１）からある距離に配置され、これは、小面積（例えば、６×６ｍｍ）センサを用いるときに有利となる。これは、装置ケーシング（７０；図２０ｂ）の一部を構成する空間位置決め領域（７２）を残し、指先（７４）がフレームエッジに対して押されることを可能にし、ユーザ特有のコードの一部としてライン及びドットを入力するときのガイダンスのためにそれらを用いることを可能にする。このような構造は、小面積のセンサでも、上述した方法を適用可能にする。
【０１２０】
フレーム自体は、指紋センサを組み込む装置の一部を構成しないが、図２２に示されるように、後に取り外されてもよい。図２２ａは、保護ホルスター（８６）にスライドしようとしている指紋センサを備えるスマートフォン（８４）を示し、後者（保護ホルスター）は、その前端部下側に“ポケット”（８７）を備える。このポケットは、正方形の“ウィンドウ”（８８）を切り抜いており、センサ（８５）よりもわずかに大きい。ウィンドウ（８８）は、図２２ｂに示されるように、スマートフォンがホルスターに完全に入っているときに、指紋センサ（８５）に位置合わせされる。この構成では、ポケットウィンドウ（８８）は、フレームとして機能し、指紋の登録及びユーザ特有のコードの記録の両方のために指をガイドする。同様のウィンドウ配置は、別のセンサ位置のための保護ホルスターの場所（例えば、裏面）に置かれうる。指紋センサの位置及び大きさを決定する際に補助するこのような追加のユーティリティを採用するとき、センサ自体は、全く視認できなくてもよい。
【０１２１】
外された又は別のフレームは、また、図２３に示されるように、決済カード（９３）で使用されてもよい。図２３ａは、カードスロット（９１）を有するカード受付エンティティ（９０）を備える、全面から視たときの、カードリーダー（８９）を示す。図２３ｂは、上から視たときの、カードリーダー（８９）の一部を示し、正方形の開口（９２）を持つカード受付エンティティ（９０）を強調している。指紋センサ（９４）を有する決済カード（９３）は、カードリーダー（８９）に入ろうとしている。図２３ｃは、カードが完全に入ったときに、センサの表面（９４）が開口から完全に露出しており、指紋及びユーザコードを入力するときのフレーム及びガイドとして機能することを示す。これ及び同様のエンティティは、カード自体にセンサを知覚可能にすることの必要性を排除する。
【０１２２】
本開示は、多くの利点を提供する。本開示の方法は、非常に簡素かつ実行しやすいと同時に、人間工学及び操作の歪のないモードを示す。
【０１２３】
フレームが指によって検知されうる存在であるとき、ユーザと指紋センサとの目視による接触の必要がなく、指紋のスキャン及びユーザ特有のコードの入力の両方が実現されることができる。これは、組み込まれる装置（モバイルフォン、スマートフォン、ＰＣ、コンピュータタブレット等）の裏面に配置され、ユーザが操作とアイコンタクトしないときでも、センサがセキュアかつ再現性が高く動作されてもよいことを意味する。ユーザのポケット又はハンドバッグ内に位置する装置で、つまり、近くの人々に操作が気付かれずに総合的な指紋認証及びユーザパターン認証処理を実行してもよい。
【０１２４】
ユーザ特有のコード特有のパターンを入力するためにセンサの表面を用いることにより、センサの表面が適切な指紋のバージョンを探すために明らかな位置にあるとき、理論上、認証されたユーザの指紋の違法な複製又はレプリカを得るために用いられる指紋が残るセンサの表面を拭き取る副次的かつ非常に重要な機能を提供する。
【０１２５】
本実施形態の別の利点は、小さな数字キーの不正確な操作を生じる指の震えに起因する数字キーパッドで数字コードを記憶し、入力することに問題のあることが多い高齢者によって用いることに関することである。隆起したセンサフレームによって提供されるサポート及びガイダンスは、震え及び不正確さがあまり重要ではなくなり、数字列よりも記憶しやすい簡素なユーザパターンによって、これらの問題の多くを排除する。
【０１２６】
本発明は、モバイルフォン、スマートフォン、コンピュータ、コンピュータタブレット、クレジットカード、決済カード及び識別及び／又はアクセスコントロールのために指紋を用いる他の装備を含む、各種デバイスに集積される部分として又は各種デバイスと共に機能するために採用されてもよく、このようなデバイスと接続して使用される指紋センサは、本発明に係る認証のための方法を採用する。
【０１２７】
前記指紋センサは、本発明に係る方法の使用から始まるデータの解釈、蓄積及び比較のために使用されるシステムを用い、ここで、前記システムは、指の位置、接触領域、接触期間及び／又はデジタル化されたユーザパターンへのセンサの表面上の移動に関するアナログ情報を変換するのに適した１以上のマイクロプロセッサ、集積回路／ＡＳＩＣ、電子ストレージメディア及び／又はデータプログラムを備え、デジタル化されたユーザパターンは、電子的に記憶され、かつデジタル化された指紋データと共に、記憶された指紋及びユーザパターンの組み合わせについて等しい又は等しくないことを決定するために用いられることができ、それにより、センサの表面に指紋を付ける人の識別を認証（確認）するために用いられる。
【０１２８】
本発明の範囲から逸脱しないで各種改良及び変更が上記のようになされてもよい。例えば、“指”又はユーザ及び対応する“指紋”を通じて参照されるが、この用語は、全ての指に及ぶこと、言い換えれば、ユーザの親指及び／又はつま先を目地的に含むことが理解される。
【図１ａ】
2016530602.tif 000003
【図１ｂ】
2016530602.tif 000004
【図１ｃ】
2016530602.tif 000005
【図２ａ】
2016530602.tif 000006
【図２ｂ】
2016530602.tif 000007
【図３ａ】
2016530602.tif 000008
【図３ｂ】
2016530602.tif 000009
【図４ａ】
2016530602.tif 000010
【図４ｂ】
2016530602.tif 000011
【図４ｃ】
2016530602.tif 000012
【図５ａ】
2016530602.tif 000013
【図５ｂ】
2016530602.tif 000014
【図５ｃ】
2016530602.tif 000015
【図５ｄ】
2016530602.tif 000016
【図６ａ】
2016530602.tif 000017
【図６ｂ】
2016530602.tif 000018
【図７ａ】
2016530602.tif 000019
【図７ｂ】
2016530602.tif 000020
【図７ｃ】
2016530602.tif 000021
【図８ａ】
2016530602.tif 000022
【図８ｂ】
2016530602.tif 000023
【図８ｃ】
2016530602.tif 000024
【図９ａ】
2016530602.tif 000025
【図９ｂ】
2016530602.tif 000026
【図９ｃ】
2016530602.tif 000027
【図１０ａ】
2016530602.tif 000028
【図１０ｂ】
2016530602.tif 000029
【図１０ｃ】
2016530602.tif 000030
【図１１ａ】
2016530602.tif 000031
【図１１ｂ】
2016530602.tif 000032
【図１１ｃ】
2016530602.tif 000033
【図１２ａ】
2016530602.tif 000034
【図１２ｂ】
2016530602.tif 000035
【図１２ｃ】
2016530602.tif 000036
【図１３ａ】
2016530602.tif 000037
【図１３ｂ】
2016530602.tif 000038
【図１３ｃ】
2016530602.tif 000039
【図１３ｄ】
2016530602.tif 000040
【図１４ａ】
2016530602.tif 000041
【図１４ｂ】
2016530602.tif 000042
【図１４ｃ】
2016530602.tif 000043
【図１４ｄ】
2016530602.tif 000044
【図１５ａ】
2016530602.tif 000045
【図１５ｂ】
2016530602.tif 000046
【図１５ｃ】
2016530602.tif 000047
【図１６】
2016530602.tif 000048
【図１７ａ】
2016530602.tif 000049
【図１７ｂ】
2016530602.tif 000050
【図１８ａ】
2016530602.tif 000051
【図１８ｂ】
2016530602.tif 000052
【図１８ｃ】
2016530602.tif 000053
【図１９ａ】
2016530602.tif 000054
【図１９ｂ】
2016530602.tif 000055
【図２０ａ】
2016530602.tif 000056
【図２０ｂ】
2016530602.tif 000057
【図２１ａ】
2016530602.tif 000058
【図２１ｂ】
2016530602.tif 000059
【図２１ｃ】
2016530602.tif 000060
【図２２ａ】
2016530602.tif 000061
【図２２ｂ】
2016530602.tif 000062
【図２３ａ】
2016530602.tif 000063
【図２３ｂ】
2016530602.tif 000064
【図２３ｃ】
2016530602.tif 000065
【手続補正書】
【提出日】平成27年8月17日(2015.8.17)
【手続補正１】
【補正対象書類名】特許請求の範囲
【補正対象項目名】全文
【補正方法】変更
【補正の内容】
【特許請求の範囲】
【請求項１】
電子指紋センサ（１，５９，６１，６３，８５，９４）のユーザを認証する方法であって、
前記ユーザの指（１２，６２，８１）を、前記電子指紋センサ（１，５９，６１，６３，８５，９４）のセンサの表面（２，６１，６４，７１，９４）で受け付けるステップと、
指紋（１３）を前記電子指紋センサ（１，５９，６１，６３，８５，９４）でスキャンするステップと、を備え、
ユーザ特有のコードを同一のセンサの表面（２，６１，６４，７１，９４）で受け付けるステップを更に備え、
前記ユーザ特有のコードの入力は、フレーム（３，７，１０，６５，７３，７９，８０）によってガイドされる１以上のジェスチャを含むユーザ特有のパターンの描画を含み、
前記ジェスチャは、ラインジェスチャを含み、前記ラインジェスチャは、前記フレーム（３，７，１０，６５，７３，７９，８０）のエッジに隣接する前記電子指紋センサの表面（２，６１，６４，７１，９４）の一部に沿って指（１２，６２，８１）をスワイプすることによって入力され、指先（１２，１６，１７，３９，４１，４３，６７，７４）の第１の部分は、前記センサの表面（２，６１，６４，７１，９４）と接触し、前記指先（１２，１６，１７，３９，４１，４３，６７，７４）の第２の部分は、前記フレーム（３，７，１０，６５，７３，７９，８０）の縁と重畳し、
ユーザのスキャンされた指紋（１３）が、記憶された情報と一致し、かつ入力されたユーザ特有のコードが記憶された情報と一致する場合、ユーザを認証する
ことを特徴とする方法。
【請求項２】
前記ラインジェスチャは、前記フレーム（３，７，１０，６５，７３，７９，８０）の一つのコーナーから別のコーナーへのスワイプモーションを含む請求項１に記載の方法。
【請求項３】
前記ジェスチャは、ドットジェスチャを含む請求項１又は２に記載の方法。
【請求項４】
前記ドットジェスチャは、前記フレーム（３，７，１０，６５，７３，７９，８０）のコーナーにおける終端を有する前後モーションを含む請求項３に記載の方法。
【請求項５】
前記ユーザ特有のコードは、前記フレーム（３，７，１０，６５，７３，７９，８０）のコーナーで開始及び／又は終了する請求項１から４のいずれか一項に記載の方法。
【請求項６】
前記ジェスチャは、ユーザ特有のコードの入力の開始及び／又は終了を示すスワイプジェスチャ（４０，４２，４４）を含む請求項１から５のいずれか一項に記載の方法。
【請求項７】
ユーザ認証システムであって、
指紋スキャンのために指（１２，６２，８１）を受け付けることに適した表面（２，６１，６４，７１，９４）を有する電子指紋センサ（１，５９，６１，６３，８５，９４）を備え、
前記表面は、ユーザ特有のパターンを含むユーザ特有のコードを受け付けるためのものでもあり、
前記システムは、更に、
前記センサの表面（２，６１，６４，７１，９４）での前記ユーザ特有のパターンの描画時にユーザの指（１２，６２，８１）の配置をガイドするフレーム（３，７，１０，６５，７３，７９，８０）を備え、
前記ユーザ特有のパターンは、前記フレーム（３，７，１０，６５，７３，７９，８０）のエッジに隣接する前記電子指紋センサの表面（２，６１，６４，７１，９４）の一部に沿って指（１２，６２，８１）をスワイプすることによって入力されるラインジェスチャを含み、
指先（１２，１６，１７，３９，４１，４３，６７，７４）の第１の部分は、前記電子指紋センサの表面（２，６１，６４，７１，９４）と接触し、前記指先（１２，１６，１７，３９，４１，４３，６７，７４）の第２の部分は、前記フレーム（３，７，１０，６５，７３，７９，８０）の縁と重畳し、
前記システムは、更に、
少なくとも１つのユーザと関連付けられた指紋パターンデータ及びユーザ特有のコードデータを記憶するメモリ手段と、
指紋パターンデータ及びユーザ特有のコードデータを受け付けるための前記センサと結合され、かつ受け付けたデータを記憶されたデータと比較するために前記メモリ手段と結合され、かつ前記比較に基づく認証結果を戻すプロセッサと、
を備えることを特徴とするシステム。
【請求項８】
前記フレーム（３，７，１０，６５，７３，７９，８０）は、前記センサの表面（２，６１，６４，７１，９４）又はその一部の外周の周りに提供される請求項７に記載のシステム。
【請求項９】
前記フレーム（３，７，１０，６５，７３，７９，８０）は、タッチで知覚可能である請求項７又は８に記載のシステム。
【請求項１０】
前記フレーム（３，７，１０，６５，７３，７９，８０）は、１以上のコーナーを含む請求項７から９のいずれか一項に記載のシステム。
【請求項１１】
前記フレーム（３，７，１０，６５，７３，７９，８０）は、前記センサの表面（２，６１，６４，７１，９４）及び／又はホストデバイスの表面から突出するエッジを含む請求項７から１０のいずれか一項に記載のシステム。
【請求項１２】
前記フレーム（３，７，１０，６５，７３，７９，８０）は、前記センサの表面（２，６１，６４，７１，９４）及び／又はホストデバイスの表面に対して凹んだエッジを含む請求項７から１０のいずれか一項に記載のシステム。
【請求項１３】
前記フレーム（３，７，１０，６５，７３，７９，８０）又はその一部は、触覚フィードバックを提供するために粗面化されている請求項７から１２のいずれか一項に記載のシステム。
【請求項１４】
前記フレーム（６５）は、ホストデバイスの周囲表面及び前記センサの表面（６４）から視覚的に区切られた外周又は前記センサの表面（６４）の境界を示す又は少なくとも部分的に境界を示す縁を含む請求項７から１３のいずれか一項に記載のシステム。
【請求項１５】
前記フレーム（３，７，１０，６５，７３，７９，８０）は、１以上の発光部を含む請求項７から１４のいずれか一項に記載のシステム。
【請求項１６】
前記フレーム（３，７，１０，６５，７３，７９，８０）は、接触したときに音響信号を発する１以上の部分を含む請求項７から１５のいずれか一項に記載のシステム。
【請求項１７】
前記フレーム（３，７，１０，６５，７３，７９，８０）又はその一部は、導電素子（４６，４７，４８）を含む請求項７から１６のいずれか一項に記載のシステム。
【請求項１８】
前記電子指紋センサ（１，５９，６１，６３，８５，９４）は、ホストデバイスで保有され、前記フレーム（３，７，１０，６５，７３，７９，８０）は、使用する際に、前記ホストデバイスを受け入れるセパレートボディで保有される請求項７から１７のいずれか一項に記載のシステム。
【請求項１９】
前記ホストデバイスは、ポータブルコンピューティングデバイス又はスマートフォンを含み、前記セパレートボディは、使用する際に、前記ポータブルコンピューティングデバイス又は前記スマートフォンを受け入れるホルスターを含む請求項１８に記載のシステム。
【請求項２０】
前記ホストデバイスは、決済カードを含み、前記セパレートボディは、使用する際に、前記決済カードを受け入れるためのスロットを含む請求項１８に記載のシステム。
【請求項２１】
請求項７から２０のいずれか一項に記載のユーザ認証システムを備えるホストデバイス。
【請求項２２】
モバイルコンピューティングデバイス、携帯電話機、金融決済カード又は身分証明書である請求項２１に記載のホストデバイス。
【請求項２３】
コンピューティングデバイスで実行されたときに、前記コンピューティングデバイスが指紋データを受け付けることを可能にする命令で符号化されたコンピュータプログラム製品であって、前記命令は、前記コンピューティングデバイスで実行されたときに、前記コンピューティングデバイスが、
ユーザ特有のパターンに関するジェスチャを含む指紋データ及びユーザ特有のコードデータを受け付け、
受け付けたデータを記憶されたデータと比較し、
前記比較に基づく認証結果を戻すこと
を可能にし、
前記ジェスチャは、ラインジェスチャを含み、前記ラインジェスチャは、前記フレーム（３，７，１０，６５，７３，７９，８０）のエッジに隣接する前記センサの表面（２，６１，６４，７１，９４）の一部に沿って指（１２，６２，８１）をスワイプすることによって入力され、指先（１２，１６，１７，３９，４１，４３，６７，７４）の第１の部分は、前記センサの表面（２，６１，６４，７１，９４）と接触し、前記指先（１２，１６，１７，３９，４１，４３，６７，７４）の第２の部分は、前記フレーム（３，７，１０，６５，７３，７９，８０）の縁と重畳することを特徴とするコンピュータプログラム製品。
【手続補正２】
【補正対象書類名】明細書
【補正対象項目名】００２６
【補正方法】変更
【補正の内容】
【００２６】
ＷＯ２００５０４３４５１に基づいて説明されるシステムの別の重要な欠点は、ユーザパターンが、センサの表面と接触する指先全体で描かれ、ドット及び／又は終結信号が、センサの表面に対して指先を押すことにより入力されることである。この処理は、センサの表面で正当なユーザに属している大きな指紋残余を残してしまい、正当でないユーザが、指紋を“拾い上げる”ことができ、レプリカを造ることができ、それにより、指紋で保護されたデバイスの認証されない又は違法な使用を可能にする。
ＵＳ２００９０１５３２９７Ａ１は、部分的な指紋センサ（スワイプセンサ）、エルゴノミックガイド及びプロセッサを有するスマートカードデバイスを開示する。ガイドは、ユーザの指が指紋センサを適切にスワイプすることを保証することを助ける。対応するドッキングステーションは、スマートカードの指紋センサが、正しい態様で使用される（スワイプされる）ことを保証することを助けるためのガイドを含んでもよい。ガイドの目的は、１以上のリニアアレイのみを含むセンサで良好な指紋画像を確実にすることだけである。指紋をスキャンする際に、指が誤った角度で配置された場合、スキャンの質は低下する。ガイドは、チャネルに沿って指を引くために用いられる。また、更なる視覚的又は触覚的ガイドが提供される。システムは、最適な指紋入力を確実にするために、指紋スキャンの際に、指紋の位置及び速度を測定するセンサを更に備えてもよい。根本的に、当該開示は、主に、単一の種類のモーションが、確実に繰り返されうる、つまり、指の均一な単一のモーションスワイプことを確実にすることに関する。このガイドは、能動的に、ユーザの指を単一の予め設定されたモーションに引き、かつ抑え、指紋スキャンの忠実度を確実にする。また、スワイプセンサは、ナビゲーション目的で用いられてもよく、ユーザは、センサにおいて異なる方向にスワイプすることによりナビゲーション操作を行ってもよい。これらのナビゲーションオプションは、共通のジェスチャを記録するために有益であり、任意のユーザ特有のコードパターンの生成に含まれない。
ＵＳ２０１０２２５４４３Ａ１は、タッチスクリーンのようなタッチ検知素子を備えるユーザ認証のためのシステムを開示し、ユーザからの指タッチ情報は、タッチ検知素子を介して受け付けられ、指タッチ情報は、少なくとも、ユーザの署名のトレースを規定する指タッチサンプルの時系列を含み、指タッチサンプルのそれぞれは、中心座標及び非中心情報を含み、非中心情報は、（ａ）指タッチサンプルの形状、（ｂ）指タッチサンプルのサイズ、（ｃ）指タッチサンプルの向き、及び（ｄ）マルチタッチ指タッチサンプルの特性の少なくとも１つを含む。このような指タッチサンプルと、事前に入力され、かつ記憶された指タッチサンプルとの類似性が決定され、ユーザ認証の目的のために閾値と比較される。本人による冗長性が考慮されるが、署名入力は、地理位置情報及び生体特徴（例えば、声紋、指紋、虹彩スキャン）のような追加の認証情報で補われてもよい。任意のガイドが指ジェスチャを方向付けること無く、署名が比較的大きなタッチスクリーン面上に入力されるため、署名入力は、時折、かなり変化する場合があり、ユーザ特有であるような特定のユーザからの入力を受け付けるために、低い区別レベルをシステムが実装することを必要とする。
ＵＳ６５０９８４７Ｂ１は、タッチインターフェースに加えられる圧力量の一時的な変化を介してアクセスコードを入力するための方法を開示する。当該方法は、パスワード、個人識別コード、及び（視覚又は聴覚を介して）第三者に気付かれにくいような態様でのアクセスコードの入力を容易にし、アクセスコードがコピー又は盗難され、第三者によって使用され、システム又は機能への認証されないアクセスを得る可能性を低減する。開示された方法は、また、署名動作（指圧、指紋、肌インピーダンス等）及び他の生体入力（例えば、音声、虹彩スキャン等）による追加の生体情報をキャプチャするためのオプションを提供する。指圧の一時的な変化と組み合わせた（ユーザ特有のコードとして用いられる）指紋は、具体的に強調されている。
【手続補正３】
【補正対象書類名】明細書
【補正対象項目名】００２７
【補正方法】変更
【補正の内容】
【００２７】
本開示の第１の態様によれば、電子指紋センサのユーザを認証する方法であって、前記ユーザの指を、前記電子指紋センサのセンサの表面で受け付けるステップと、指紋を前記電子指紋センサでスキャンするステップと、を備え、ユーザ特有のコードを同一のセンサの表面で受け付けるステップを更に備え、前記ユーザ特有のコードの入力は、フレームによってガイドされる１以上のジェスチャを含むユーザ特有のパターンの描画を含み、前記ジェスチャは、ラインジェスチャを含み、前記ラインジェスチャは、前記フレームのエッジに隣接する前記電子指紋センサの表面の一部に沿って指をスワイプすることによって入力され、指先の第１の部分は、前記センサの表面と接触し、前記指先の第２の部分は、前記フレームの縁と重畳し、ユーザのスキャンされた指紋が、記憶された情報と一致し、かつ入力されたユーザ特有のコードが記憶された情報と一致する場合、ユーザを認証することを特徴とする方法を提供する。
【手続補正４】
【補正対象書類名】明細書
【補正対象項目名】００２８
【補正方法】変更
【補正の内容】
【００２８】
任意に、前記ラインジェスチャは、前記フレームの一つのコーナーから別のコーナーへのスワイプモーションを含む。
【手続補正５】
【補正対象書類名】明細書
【補正対象項目名】００２９
【補正方法】変更
【補正の内容】
【００２９】
任意に、前記ジェスチャは、ドットジェスチャを含む。
【手続補正６】
【補正対象書類名】明細書
【補正対象項目名】００３０
【補正方法】変更
【補正の内容】
【００３０】
任意に、前記ドットジェスチャは、前記フレームのコーナーにおける終端を有する前後モーションを含む。
【手続補正７】
【補正対象書類名】明細書
【補正対象項目名】００３１
【補正方法】変更
【補正の内容】
【００３１】
任意に、前記ユーザ特有のコードは、前記フレームのコーナーで開始及び／又は終了する。
【手続補正８】
【補正対象書類名】明細書
【補正対象項目名】００３２
【補正方法】変更
【補正の内容】
【００３２】
任意に、前記ジェスチャは、ユーザ特有のコードの入力の開始及び／又は終了を示すスワイプジェスチャを含む。
【手続補正９】
【補正対象書類名】明細書
【補正対象項目名】００３３
【補正方法】変更
【補正の内容】
【００３３】
本開示の第２の態様によれば、指紋スキャンのために指を受け付けることに適した表面を有する電子指紋センサを備え、前記表面は、ユーザ特有のパターンを含むユーザ特有のコードを受け付けるためのものでもあり、前記システムは、更に、前記センサの表面での前記ユーザ特有のパターンの描画時にユーザの指の配置をガイドするフレームを備え、前記ユーザ特有のパターンは、前記フレームのエッジに隣接する前記電子指紋センサの表面の一部に沿って指をスワイプすることによって入力されるラインジェスチャを含み、指先の第１の部分は、前記電子指紋センサの表面と接触し、前記指先の第２の部分は、前記フレームの縁と重畳し、前記システムは、更に、少なくとも１つのユーザと関連付けられた指紋パターンデータ及びユーザ特有のコードデータを記憶するメモリ手段と、指紋パターンデータ及びユーザ特有のコードデータを受け付けるための前記センサと結合され、かつ受け付けたデータを記憶されたデータと比較するために前記メモリ手段と結合され、かつ前記比較に基づく認証結果を戻すプロセッサと、を備えることを特徴とするユーザ認証システムを提供する。
【手続補正１０】
【補正対象書類名】明細書
【補正対象項目名】００３４
【補正方法】変更
【補正の内容】
【００３４】
任意に、前記フレームは、前記センサの表面又はその一部の外周の周りに提供される。
【手続補正１１】
【補正対象書類名】明細書
【補正対象項目名】００３５
【補正方法】変更
【補正の内容】
【００３５】
任意に、前記フレームは、タッチで知覚可能である。
【手続補正１２】
【補正対象書類名】明細書
【補正対象項目名】００３６
【補正方法】変更
【補正の内容】
【００３６】
任意に、前記フレームは、１以上のコーナーを含む。
【手続補正１３】
【補正対象書類名】明細書
【補正対象項目名】００３７
【補正方法】変更
【補正の内容】
【００３７】
任意に、前記フレームは、前記センサの表面及び／又はホストデバイスの表面から突出するエッジを含む。
【手続補正１４】
【補正対象書類名】明細書
【補正対象項目名】００３８
【補正方法】変更
【補正の内容】
【００３８】
任意に、前記フレームは、前記センサの表面及び／又はホストデバイスの表面に対して凹んだエッジを含む。
【手続補正１５】
【補正対象書類名】明細書
【補正対象項目名】００３９
【補正方法】変更
【補正の内容】
【００３９】
任意に、前記フレーム又はその一部は、触覚フィードバックを提供するために粗面化されている。
【手続補正１６】
【補正対象書類名】明細書
【補正対象項目名】００４０
【補正方法】変更
【補正の内容】
【００４０】
任意に、前記フレームは、ホストデバイスの周囲表面及び前記センサの表面から視覚的に区切られた外周又は前記センサの表面の境界を示す又は少なくとも部分的に境界を示す縁を含む。
【手続補正１７】
【補正対象書類名】明細書
【補正対象項目名】００４１
【補正方法】変更
【補正の内容】
【００４１】
任意に、前記フレームは、１以上の発光部を含む。
【手続補正１８】
【補正対象書類名】明細書
【補正対象項目名】００４２
【補正方法】変更
【補正の内容】
【００４２】
任意に、前記フレームは、接触したときに音響信号を発する１以上の部分を含む。
【手続補正１９】
【補正対象書類名】明細書
【補正対象項目名】００４３
【補正方法】変更
【補正の内容】
【００４３】
任意に、前記フレーム又はその一部は、導電素子を含む。
【手続補正２０】
【補正対象書類名】明細書
【補正対象項目名】００４４
【補正方法】変更
【補正の内容】
【００４４】
任意に、前記電子指紋センサは、ホストデバイスで保有され、前記フレームは、使用する際に、前記ホストデバイスを受け入れるセパレートボディで保有される。
【手続補正２１】
【補正対象書類名】明細書
【補正対象項目名】００４５
【補正方法】変更
【補正の内容】
【００４５】
任意に、前記ホストデバイスは、ポータブルコンピューティングデバイス又はスマートフォンを含み、前記セパレートボディは、使用する際に、前記ポータブルコンピューティングデバイス又は前記スマートフォンを受け入れるホルスターを含む。
【手続補正２２】
【補正対象書類名】明細書
【補正対象項目名】００４６
【補正方法】変更
【補正の内容】
【００４６】
任意に、前記ホストデバイスは、決済カードを含み、前記セパレートボディは、使用する際に、前記決済カードを受け入れるためのスロットを含む。
【手続補正２３】
【補正対象書類名】明細書
【補正対象項目名】００４７
【補正方法】変更
【補正の内容】
【００４７】
認証結果は、ユーザ認証成功のイベントにおける特定のアクション又はアクティビティを可能にするため、又はユーザ認証失敗のイベントにおける特定のアクション又はアクティビティを否定するためにホストデバイスによって用いられる。
【手続補正２４】
【補正対象書類名】明細書
【補正対象項目名】００４８
【補正方法】変更
【補正の内容】
【００４８】
本開示の第３の態様によれば、第２の態様のユーザ認証システムを備えるホストデバイスを提供する。
【手続補正２５】
【補正対象書類名】明細書
【補正対象項目名】００４９
【補正方法】変更
【補正の内容】
【００４９】
任意に、前記ホストデバイスは、モバイルコンピューティングデバイス、携帯電話機、金融決済カード又は身分証明書である。
【手続補正２６】
【補正対象書類名】明細書
【補正対象項目名】００５０
【補正方法】変更
【補正の内容】
【００５０】
本開示の第４の態様によれば、コンピューティングデバイスで実行されたときに、前記コンピューティングデバイスが指紋データを受け付けることを可能にする命令で符号化されたコンピュータプログラム製品であって、前記命令は、前記コンピューティングデバイスで実行されたときに、前記コンピューティングデバイスが、ユーザ特有のパターンに関するジェスチャを含む指紋データ及びユーザ特有のコードデータを受け付け、受け付けたデータを記憶されたデータと比較し、前記比較に基づく認証結果を戻すことを可能にし、前記ジェスチャは、ラインジェスチャを含み、前記ラインジェスチャは、前記フレームのエッジに隣接する前記センサの表面の一部に沿って指をスワイプすることによって入力され、指先の第１の部分は、前記センサの表面と接触し、前記指先の第２の部分は、前記フレームの縁と重畳することを特徴とするコンピュータプログラム製品を提供する。
【手続補正２７】
【補正対象書類名】明細書
【補正対象項目名】００５１
【補正方法】削除
【補正の内容】
【手続補正２８】
【補正対象書類名】明細書
【補正対象項目名】００５２
【補正方法】削除
【補正の内容】
【手続補正２９】
【補正対象書類名】明細書
【補正対象項目名】００５３
【補正方法】削除
【補正の内容】
【手続補正３０】
【補正対象書類名】明細書
【補正対象項目名】００５４
【補正方法】削除
【補正の内容】
【手続補正３１】
【補正対象書類名】明細書
【補正対象項目名】００５５
【補正方法】削除
【補正の内容】
【手続補正３２】
【補正対象書類名】明細書
【補正対象項目名】００５６
【補正方法】削除
【補正の内容】
【手続補正３３】
【補正対象書類名】図面
【補正対象項目名】図６
【補正方法】変更
【補正の内容】
【図６】
2016530602.tif 000066
【手続補正３４】
【補正対象書類名】図面
【補正対象項目名】図７
【補正方法】変更
【補正の内容】
【図７】
2016530602.tif 000067
【手続補正３５】
【補正対象書類名】図面
【補正対象項目名】図８
【補正方法】変更
【補正の内容】
【図８】
2016530602.tif 000068
【手続補正３６】
【補正対象書類名】図面
【補正対象項目名】図９
【補正方法】変更
【補正の内容】
【図９】
2016530602.tif 000069
【手続補正３７】
【補正対象書類名】図面
【補正対象項目名】図１０
【補正方法】変更
【補正の内容】
【図１０】
2016530602.tif 000070
【手続補正３８】
【補正対象書類名】図面
【補正対象項目名】図１１
【補正方法】変更
【補正の内容】
【図１１】
2016530602.tif 000071
【手続補正３９】
【補正対象書類名】図面
【補正対象項目名】図１２
【補正方法】変更
【補正の内容】
【図１２】
2016530602.tif 000072
【手続補正４０】
【補正対象書類名】図面
【補正対象項目名】図１３
【補正方法】変更
【補正の内容】
【図１３】
2016530602.tif 000073
【手続補正４１】
【補正対象書類名】図面
【補正対象項目名】図１４
【補正方法】変更
【補正の内容】
【図１４】
2016530602.tif 000074
【手続補正４２】
【補正対象書類名】図面
【補正対象項目名】図１５
【補正方法】変更
【補正の内容】
【図１５】
2016530602.tif 000075
【手続補正４３】
【補正対象書類名】図面
【補正対象項目名】図１６
【補正方法】変更
【補正の内容】
【図１６】
2016530602.tif 000076
【手続補正４４】
【補正対象書類名】図面
【補正対象項目名】図１７
【補正方法】変更
【補正の内容】
【図１７】
2016530602.tif 000077
【手続補正４５】
【補正対象書類名】図面
【補正対象項目名】図２０
【補正方法】変更
【補正の内容】
【図２０】
2016530602.tif 000078
【手続補正４６】
【補正対象書類名】図面
【補正対象項目名】図２１
【補正方法】変更
【補正の内容】
【図２１】
2016530602.tif 000079
【国際調査報告】
2016530602.tif 000080
2016530602.tif 000081